(57)【要約】【課題】  全方向からの外力に対して十分な剛性を確保し、カメラユニットの破損や機器筺体との位置ずれを防止することができるカメラユニット取付け構造及びカメラ付き携帯電子機器提供を目的とする。【解決手段】  携帯電話機１は、フロントスクリーン７，カメラユニット２，第一ケース４，主基板３，第二ケース５，ストッパー６及びカメラスクリーン２２を備え、第一ケース４と一体的に成形され、カメラユニット２が収納されるカメラフレーム部４１と、カメラフレーム部４１と第二ケース５を、ストッパー６を用いてねじ締結する構成としてある。【選択図】  図２
2006270830.tif 000002
【特許請求の範囲】
【請求項１】
第一の筐体部材と第二の筐体部材を有する筐体に、カメラユニットを保持するカメラユニット取付け構造であって、
前記第一の筐体部材と一体的に成形され、前記カメラユニットが収納されるカメラフレーム部と、
前記カメラフレーム部と前記第二の筐体部材を連結する連結手段と
を具備したことを特徴とするカメラユニット取付け構造。
【請求項２】
前記連結手段として、前記カメラフレーム部の先端部外周面に形成された雄ねじと、前記第二の筐体部材に形成され、前記先端部が貫通する開口部と、この開口部から突出した前記雄ねじに締め付けられ、前記カメラフレーム部と前記第二の筐体部材を連結する雌ねじ部材を備えたことを特徴とする請求項１記載のカメラユニット取付け構造。
【請求項３】
前記開口部が、前記第二の筐体部材から前記筐体内部に突設された連結部に形成され、さらに、前記先端部，前記雌ねじ部材及びカメラスクリーンが、前記連結部に収納されることを特徴とする請求項２記載のカメラユニット取付け構造。
【請求項４】
前記雌ねじ部材として、雌ねじが形成されたねじ付きカメラスクリーンを使用したことを特徴とする請求項２又は３記載のカメラユニット取付け構造。
【請求項５】
前記ねじ付きカメラスクリーンが、前記雄ねじに締め込まれる際、前記カメラユニットを共締めすることを特徴とする請求項４記載のカメラユニット取付け構造。
【請求項６】
前記連結手段として、前記カメラフレーム部の先端部外周面に形成された係止溝と、前記第二の筐体部材に形成され、前記先端部が貫通する開口部と、この開口部から突出した前記係止溝に係入され、前記カメラフレーム部と前記第二の筐体部材を連結する係止部材を備えたことを特徴とする請求項１記載のカメラユニット取付け構造。
【請求項７】
前記開口部が、前記第二の筐体部材から前記筐体内部に突設された連結部に形成され、さらに、前記先端部，前記係止部材及びカメラスクリーンが、前記連結部に収納されることを特徴とする請求項６記載のカメラユニット取付け構造。
【請求項８】
前記係止部材として、係止部が形成された係止部付きカメラスクリーンを使用したことを特徴とする請求項６又は７記載のカメラユニット取付け構造。
【請求項９】
前記係止部付きカメラスクリーンが、前記係止溝に係入される際、前記カメラユニットを押下することを特徴とする請求項８記載のカメラユニット取付け構造。
【請求項１０】
前記第一の筐体部材に、前記カメラユニットを前記カメラフレーム部に挿入する挿入口を形成し、さらに、前記挿入口を塞ぐとともに、前記カメラユニットを位置決めするフロントスクリーンを備えたことを特徴とする請求項１〜９のいずれか一項にカメラユニット取付け構造。
【請求項１１】
第一の筐体部材と第二の筐体部材を有する筐体に、カメラユニットを保持するカメラ付き携帯電子機器であって、
上記請求項１〜１０に記載したカメラユニット取付け構造を有することを特徴とするカメラ付き携帯電子機器。
【発明の詳細な説明】
【技術分野】
【０００１】
本発明は、カメラユニット取付け構造及びカメラ付き携帯電子機器に関し、特に、第一の筐体部材と一体的に成形され、カメラユニットが収納されるカメラフレーム部を、第二の筐体部材と連結させることにより、全方向からの外力に対して十分な剛性を確保し、カメラユニットの破損や機器筺体との位置ずれを防止することができるカメラユニット取付け構造及びカメラ付き携帯電子機器に関する。
【背景技術】
【０００２】
近年、広く普及しているカメラ付き携帯無線通信装置等の携帯電子機器は、ＣＣＤ（Ｃｈａｒｇｅ−Ｃｏｕｐｌｅｄ  Ｄｅｖｉｃｅ）等の光電変換素子とレンズを一体化したカメラユニットを、機器筺体内部に搭載している。
上記カメラユニットは、衝撃力を含む外力に対して強い耐性を持たないため、機器の筺体や内装フレーム等でカメラユニットが収納されるカメラフレーム部を形成し、カメラフレーム部がカメラユニットを保持するとともに保護する必要がある。また、カメラ撮影機能の観点からは、カメラユニットと機器筺体との間の相対位置関係を維持することも要求される。
【０００３】
ところで、小型化，薄型化，軽量化が求められる携帯電子機器においては、カメラユニットの取付け構造に対して、小型化，薄型化，軽量化を図りつつ、十分な機械的強度を実現することが要求されてきた。
このため、様々なカメラユニット取付け構造が提案されてきた。
【０００４】
（第一従来例）
図１０は、第一従来例に係るカメラユニット取付け構造の要部における概略拡大断面図を示している。
同図において、カメラユニット取付け構造１００は、カメラユニット１０２が収納されるカメラフレーム部１４１が一体的に形成された第一ケース１０４と、第一ケース１０４とカメラユニット１０２と間に装入されたシート状の弾性部材２６と、カメラフレーム部１４１の背面側端部と当接する第二ケース１０５とを備えた構成としてある。
【０００５】
カメラフレーム部１４１は、ほぼ矩形筒状であり、一つの側壁にフレキシブル基板２１を引き回すための切欠１４２が形成してある。
また、カメラユニット１０２は、カメラフレーム部１４１に背面側から挿入され、この挿入によって、機器平面方向への移動が規制される。
さらに、第二ケース１０５は、第一ケース１０４に取り付けられると、カメラフレーム部１４１の背面側端部と当接する。この際、第二ケース１０５がカメラユニット１０２を正面側に押し込むので、カメラユニット１０２は、弾性部材２６の弾性力によって、背面側端部が第二ケース１０５に押し付けられ、機器肉厚方向への移動が規制される。
【０００６】
このように、カメラユニット取付け構造１００におけるカメラユニット１０２は、カメラフレーム部１４１によって、機器平面方向の位置が決められ、さらに、弾性部材２６と第二ケース１０５によって、機器肉厚方向の位置が決められることにより、カメラフレーム部１４１に収納された状態で保持される。
【０００７】
また、カメラユニット取付け構造１００は、カメラユニット１０２を第二ケース１０５が押さえ込む構造としてあり、第二ケース１０５に対し、正面側方向に外力が作用しても、第二ケース１０５がカメラフレーム部１４１と当接しているので、この外力をカメラフレーム部１４１が受けることができる。また、第一ケース１０４や第二ケース１０５に対し、機器平面方向の外力が作用しても、第一ケース１０４と第二ケース１０５の接合部やケース内部に設けられたリブ等（図示せず）が、この外力を受けることができる。すなわち、上記方向の外力に対して、カメラユニット取付け構造１００は、十分な機械的強度を有している。
【０００８】
（第二従来例）
また、特許文献１には、基板上に搭載された撮像素子部と、この撮像素子部上に設けられたレンズ部と、前記基板を支持し、かつ隙間を設けて撮像素子部を覆うカバー部材とからなるカメラ本体の取付け構造であって、基板と筐体の前壁との間に、厚み方向に弾性変形させた弾性部材を配置するとともに、前面側ケースの前壁には係止部を設け、この係止部をカメラ本体と係合させ、カメラ本体が弾性部材の復元方向に移動しようとするのを規制するカメラ本体の取付け構造の技術が開示されている。
なお、この取付け構造では、背面側ケースに窓部が設けられており、カメラ本体は前面側ケースと背面側ケースの間に搭載される。
【特許文献１】特開２００４−１８０２２３号公報
【発明の開示】
【発明が解決しようとする課題】
【０００９】
しかしながら、第一従来例のカメラユニット取付け構造１００は、第二ケース１０５に対し、第二ケース１０５を背面側に変形させようとする方向に外力が作用した場合、この方向の外力に対する構造的な対処がなく、第二ケース１０５の天面の剛性のみによって、上記外力を受けることとなる。また、携帯電子機器は、薄型化や軽量化のため、各ケース１０４，１０５の天面の肉厚が制限されており、十分な機械的強度を有していなかった。すなわち、カメラユニット取付け構造１００は、全方向の外力に対し十分な剛性を有していないので、落下等による方向が特定されない外力によって、第一ケース１０４及び第二ケース１０５が、離反する方向に変形する可能性が高く、この変形により、カメラフレーム部１４１の変形を誘引する。これにより、カメラユニット１０２に外力が作用し、破損や機能低下を生じさせるといった問題があった。また、カメラユニット１０２の破損や機能低下がない場合であっても、筺体に対するカメラユニット１０２の相対位置がずれると、カメラ撮影機能に障害が出るといった問題があった。
【００１０】
また、上記特許文献１に記載されたカメラ本体の取付け構造は、係合によりカメラ本体を固定している。この係合固定は、係止部とカメラ本体が単に接触しているだけの場合もあり、剛性が低く、落下等の際携帯機器に加わる衝撃力や外力に対して、カメラ本体の変形を防ぐことが難しいといった問題があった。さらに、係止部は、一方の端が前面側ケースに固定された板状の構造であり、機械的強度が弱く、カメラ本体を強固に固定することができない。すなわち、カメラ本体が変形することに起因して、撮像素子部やレンズ部が破損したり、機器筺体との位置ずれを起こすといった問題があった。
【００１１】
本発明は、上記問題を解決するために提案されたものであり、全方向からの外力に対して十分な剛性を確保し、カメラユニットの破損や機器筺体との位置ずれを防止することができるカメラユニット取付け構造及びカメラ付き携帯電子機器提供を目的とする。
【００１２】
なお、本発明者は、上記不具合を詳細に検討することにより、従来の技術において、カメラユニット１０２を収納するカメラフレーム部１４１と第二ケース１０５とを連結させて、機械的強度を向上させるといった発想が存在しなかった点に着目し、鋭意研究開発を行うことにより、本発明を想到するに至ったものである。
【課題を解決するための手段】
【００１３】
上記目的を達成するため、本発明のカメラユニット取付け構造は、第一の筐体部材と第二の筐体部材を有する筐体に、カメラユニットを保持するカメラユニット取付け構造であって、前記第一の筐体部材と一体的に成形され、前記カメラユニットが収納されるカメラフレーム部と、前記カメラフレーム部と前記第二の筐体部材を連結する連結手段とを具備した構成としてある。
このようにすると、カメラフレーム部が第一の筐体部材と第二の筐体部材によって両端固定されるので、カメラフレーム部の機械的強度が向上し、筐体にどの方向から外力が作用しても、カメラフレーム部が変形しにくくなる。また、連結されたカメラフレーム部が、第一の筐体部材と第二の筐体部材の機械的強度を向上させる補強部材として機能するので、第一の筐体部材及び第二の筐体部材の機械的強度が向上し、カメラフレーム部の変形をさらに抑制することができる。したがって、カメラフレーム部が変形することにより発生する、カメラユニットの破損やカメラユニットの筐体に対する位置ずれを効果的に防止することができる。
【００１４】
また、本発明のカメラユニット取付け構造は、前記連結手段として、前記カメラフレーム部の先端部外周面に形成された雄ねじと、前記第二の筐体部材に形成され、前記先端部が貫通する開口部と、この開口部から突出した前記雄ねじに締め付けられ、前記カメラフレーム部と前記第二の筐体部材を連結する雌ねじ部材を備えた構成としてある。
このようにすると、カメラフレーム部と第二の筐体部材を固定することができるので、連結強度を強固にすることができ、カメラフレーム部や各筐体の機械的強度を向上させることができる。
【００１５】
また、本発明のカメラユニット取付け構造は、前記開口部が、前記第二の筐体部材から前記筐体内部に突設された連結部に形成され、さらに、前記先端部，前記雌ねじ部材及びカメラスクリーンが、前記連結部に収納される構成としてある。
このようにすると、第二の筐体部材から、カメラスクリーンが突出するのを回避でき、カメラスクリーンに傷が付く危険性を低減することができる。
【００１６】
また、本発明のカメラユニット取付け構造は、前記雌ねじ部材として、雌ねじが形成されたねじ付きカメラスクリーンを使用した構成としてある。
このようにすると、生産効率を改善できるとともに、部品点数を削減できるので、生産性を向上させることができる。
【００１７】
また、本発明のカメラユニット取付け構造は、前記ねじ付きカメラスクリーンが、前記雄ねじに締め込まれる際、前記カメラユニットを共締めする構成としてある。
このようにしても、カメラユニットを保持することができ、設計の自由度を増大させることができる。
【００１８】
また、本発明のカメラユニット取付け構造は、前記連結手段として、前記カメラフレーム部の先端部外周面に形成された係止溝と、前記第二の筐体部材に形成され、前記先端部が貫通する開口部と、この開口部から突出した前記係止溝に係入され、前記カメラフレーム部と前記第二の筐体部材を連結する係止部材を備えた構成としてある。
このようにしても、カメラフレーム部と第二の筐体部材を固定することができるので、連結強度を強固にすることができ、カメラフレーム部や各筐体の機械的強度を向上させることができる。
【００１９】
また、本発明のカメラユニット取付け構造は、前記開口部が、前記第二の筐体部材から前記筐体内部に突設された連結部に形成され、さらに、前記先端部，前記係止部材及びカメラスクリーンが、前記連結部に収納される構成としてある。
このようにすると、第二の筐体部材から、カメラスクリーンが突出するのを回避でき、カメラスクリーンに傷が付く危険性を低減することができる。
【００２０】
また、本発明のカメラユニット取付け構造は、前記係止部材として、係止部が形成された係止部付きカメラスクリーンを使用した構成としてある。
このようにすると、生産効率を改善できるとともに、部品点数を削減できるので、生産性を向上させることができる。
【００２１】
また、本発明のカメラユニット取付け構造は、前記係止部付きカメラスクリーンが、前記係止溝に係入される際、前記カメラユニットを押下する構成としてある。
このようにしても、カメラユニットを保持することができ、設計の自由度を増大させることができる。
【００２２】
また、本発明のカメラユニット取付け構造は、前記第一の筐体部材に、前記カメラユニットを前記カメラフレーム部に挿入する挿入口を形成し、さらに、前記挿入口を塞ぐとともに、前記カメラユニットを位置決めするフロントスクリーンを備えた構成としてある。
このようにすると、第一の筐体部材及びカメラフレーム部の構造を成形しやすい構造とすることができるので、製造原価のコストダウンを図ることができる。
【００２３】
上記目的を達成するため、本発明のカメラ付き携帯電子機器は、第一の筐体部材と第二の筐体部材を有する筐体に、カメラユニットを保持するカメラ付き携帯電子機器であって、上記請求項１〜１０に記載したカメラユニット取付け構造を有する構成としてある。
このように、本発明は、カメラ付き携帯電子機器としても有効であり、カメラフレーム部が変形することにより発生する、カメラユニットの破損やカメラユニットの筐体に対する位置ずれを効果的に防止することができる。
【発明の効果】
【００２４】
以上のように、本発明のカメラユニット取付け構造及びカメラ付き携帯電子機器によれば、全方向からの外力に対して十分な剛性を確保し、カメラユニットの破損や機器筺体との位置ずれを防止することができる。
【発明を実施するための最良の形態】
【００２５】
［カメラ付き携帯電子機器の第一実施形態］
図１は、本発明の第一実施形態に係る携帯電話機の要部における、正面側から見た概略分解斜視図を示している。
また、図２は、本発明の第一実施形態に係る携帯電話機の要部における、背面側から見た概略分解斜視図を示している。
同図において、カメラ付き携帯電子機器としての携帯電話機１は、フロントスクリーン７，カメラユニット２，第一ケース４，主基板３，第二ケース５，ストッパー６及びカメラスクリーン２２を備えた構成としてある。
なお、主基板３上には、映像表示ユニット，キー操作ユニット，無線用電子部品，制御用電子等が実装されているが、理解しやすいように、図中では省略してある。
【００２６】
＜カメラユニット＞
撮像装置であるカメラユニット２は、ＣＣＤ等を利用した撮像素子部２４および結像面に被写体の像を結像するレンズ２３が設けられたレンズ部２５を備え、これらを一体的に構成したものである（図３参照）。このカメラユニット２は、直方体状の撮像素子部２４と円筒状のレンズ部２５を連結した形状としてある。
また、カメラユニット２は、撮像素子部２４の底面に、屈曲可能なフレキシブル基板２１が設けられている。このフレキシブル基板２１は、撮像素子部２４から延伸している部分がフラットケーブルとして機能し、主基板３に実装されたカメラコネクタ３２と接続される（図６参照）。
【００２７】
＜第一ケース＞
携帯電話機１は、分割筺体を有する構成であり、分割筐体の一方を第一ケース４とし、もう一方を第二ケース５としてある。第一ケース４と第二ケース５は、携帯電話機１の側面全周に分離面を有するように分割されている。
第一ケース４は、背面側へ主基板３を含む内装部品を実装された後、第二ケース５がねじ締結や嵌合フックによって取り付けられる。
【００２８】
図３は、本発明の第一実施形態に係る携帯電話機のカメラフレーム部を説明するための、背面側から見た概略拡大斜視図を示している。
また、図４は、本発明の第一実施形態に係る携帯電話機のカメラフレーム部を説明するための、正面側から見た概略拡大斜視図を示している。
図３，４において、第一ケース４は、カメラユニット２の撮像素子部２４を保持するとともに収納する四角箱状のカメラフレーム部４１が、上部背面から背面側に突出している。このカメラフレーム部４１は、背面側から見ると、図３に示すように、撮像素子部２４を覆う直方体状の凸部４１１を有し、正面側から見ると、図４に示すように、撮像素子部２４が収納される四角穴状の凹部４１２を有する構造としてある。このように、カメラフレーム部４１を四角箱状の構造とし、第一ケース４と一体的に成形することにより、外力が作用する方向にかかわらず機械的強度を強固にすることができる。
【００２９】
ここで、好ましくは、上記凹部４１２の各側面の両角部近傍に、カメラユニット２の挿入方向に沿って、直線状の凸部４６を形成するとよい。このようにすると、凸部４６と撮像素子部２４の側面が接触することにより、撮像素子部２４を凹部４１２に容易に圧入することができ、また、カメラユニット２を適度な保持力で保持するとともに、カメラユニット２の位置決めを精度よく行うことができる。
【００３０】
また、カメラフレーム部４１は、凸部４１１の天板４１３に、カメラユニット２のレンズ部２５が挿入される円孔４１４が形成され、さらに、円孔４１４と同心円状に天板４１３から、側面に雄ねじが形成された円筒状の雄ねじ部４１５が背面側に突設してある。このような構造とすることにより、レンズ部２５は、円孔４１４に挿入され、円筒状の雄ねじ部４１５の内部に収納される。また、レンズ２３は、背面側に露出しているので、良好な撮影視界を得ることができる。
さらに、カメラフレーム部４１は、矩形箱状の凸部４１１及び円筒状の雄ねじ部４１５が、その高さに比べ平面方向の面積が広く、安定した構造となっており、さらに、第一ケース４と第二ケース５に両端が固定されるので、機械的強度が大幅に向上し、変形しにくい構造となる。
【００３１】
また、カメラフレーム部４１は、凸部４１１の根元の一辺に、フレキシブル基板２１を引き回すためのスリット状の開口部４２が形成されている。この開口部４２を介して、フレキシブル基板２１を、第一ケース４の正面側から背面側（主基板３側）に引き回すことができる（図６参照）。
【００３２】
第一ケース４は、正面側に、表示画面を保護するフロントスクリーン７が取り付けられる、第一ケース４の外面より一段低い段差面４７が形成されている。
上記フロントスクリーン７は、カメラフレーム部４１にカメラユニット２が挿入された後、段差面４７に貼り付けられ、フロントスクリーン７の背面が、撮像素子部２４の表面側端部と当接する。これにより、機器肉厚方向に対する、カメラユニット２の位置決めをより確実に行うことができる。また、カメラユニット２は、フロントスクリーン７，第一ケース４，第二ケース５及びカメラスクリーン２２によって、密閉される。
【００３３】
また、好ましくは、カメラユニット２とカメラフレーム部４１の加工誤差を吸収する目的で、フロントスクリーン７の背面とカメラユニット２の表面側端部との間に、シート状の弾性部材２６を取り付けるとよく、このようにすると、加工誤差を吸収することができるので、隙間が発生したり撮像素子部２４が押圧されたりするといった不具合を回避することができる。
なお、弾性部材２６は、あらかじめカメラユニット２に貼り付けてもよく、このようにすると、作業効率を向上させることができる。
【００３４】
＜主基板＞
図５は、本発明の第一実施形態に係る携帯電話機の主基板及び第二ケースを説明するための、背面側から見た概略拡大斜視図を示している。
同図において、主基板３は、上部に、カメラフレーム部４１の凸部４１１及び雄ねじ部４１５が挿入される矩形孔３１が形成され、さらに、矩形孔３１の近傍に、カメラユニット２のフレキシブル基板２１が接続されるカメラコネクタ３２が実装されている。
また、矩形孔３１は、フレキシブル基板２１を引き回す位置に、引き回しに必要な大きさで成形されているので、フレキシブル基板２１を容易にカメラコネクタ３２に接続させることができる。
【００３５】
＜第二ケース＞
第二ケース５は、カメラフレーム部４１と対応する位置に、カメラフレーム部４１と連結される連結部５１が形成してある。この連結部５１は、カメラフレーム部４１の雄ねじ部４１５，ストッパー６及びカメラスクリーン２２を収容する開口部５１１と、ストッパー６によって、カメラフレーム部４１の天板４１３とストッパー６の間に螺着される円環状のワッシャー部５１２と、ワッシャー部５１２と第二ケース５を一体化する、第二ケース５から正面側に突設された円筒部５１３とからなっている。
上記連結部５１が形成された第二ケース５は、第一ケース４に取り付けられると、カメラフレーム部４１の雄ねじ部４１５が、ワッシャー部５１２を貫通して背面側に突き出るとともに、ワッシャー部５１２の正面側端面が、カメラフレーム部４１の天板４１３と当接する構造としてある。
【００３６】
＜ストッパー＞
雌ねじ部材としてのストッパー６は、断面がほぼ矩形状の円環であり、内周面に、カメラフレーム部４１の雄ねじ部４１５の雄ねじと螺合する雌ねじ６１を形成してある。
このストッパー６は、第一ケース４に第二ケース５が取り付けられる際に、ワッシャー部５１２から突き出る雄ねじ部４１５に締め込まれ、ワッシャー部５１２を螺着する。これにより、携帯電話機１は、カメラフレーム部４１，連結部５１及びストッパー６を介して、第一ケース４と第二ケース５が連結されるので、携帯電話機１に加わる外力に対し、その方向にかかわらず強固な剛性を有することができる。特に、第一従来例のカメラユニット取付け構造１００と異なり、背面方向への外力に対しても、第二ケース５は、十分強固な機械的強度を有することができる。
【００３７】
＜カメラスクリーン＞
カメラスクリーン２２は、カメラユニット２のレンズ２３を保護するための、円板状の透明部材であり、雄ねじ部４１５の端面、あるいは、第二ケース５に、接着剤や両面テープ、又は圧入等によって取り付けられる。また、カメラスクリーン２２は、携帯電話機１を載置した際に、載置面（図示せず）と接触し傷等が付かないように、第二ケース５の外面より、一段低い位置に取り付けられる。
【００３８】
次に、上記構成の携帯電話機１における、カメラユニット２の組立手順について、図面を参照して説明する。
図６は、本発明の第一実施形態に係る携帯電話機の、カメラユニットの組立手順を説明するための、組立完了後の要部の概略拡大断面図を示している。
同図において、携帯電話機１は、まず、カメラユニット２が、第一ケース４のカメラフレーム部４１に収納される。この際、カメラユニット２は、フレキシブル基板２１を開口部４２に通しながら、レンズ部２５が雄ねじ部４１５に挿入されるとともに、撮像素子部２４が凹部４１２に圧入される（図３，４参照）。また、カメラユニット２は、撮像素子部２４の背面側端面が天板４１３の正面側端面と当接する位置まで、挿入される。
上記収納により、カメラユニット２は、撮像素子部２４の各側面が線状の凸部４６と当接するので、各側面方向（４方向）から拘束され、機器平面方向の位置が固定される。
【００３９】
次に、カメラユニット２を保持収納した第一ケース４の内側（背面側）に主基板３を取り付ける。これにより、カメラフレーム部４１の雄ねじ部４１５及び凸部４１１が、主基板３の矩形孔３１から突き出る。この際、カメラユニット２のフレキシブル基板２１を矩形孔３１に通して、フレキシブル基板２１の先端部を主基板３の背面側へ移動させる。続いて、引き回したフレキシブル基板２１の先端部を、主基板３の背面側に実装されたカメラコネクタ３２に装入し、カメラユニット２と主基板３を電気的に接続する。
【００４０】
次に、第二ケース５を、フックおよびねじ締結により第一ケース４に取り付けると、第二ケース５の連結部５１のワッシャー部５１２から、カメラフレーム部４１の雄ねじ部４１５が突き出る。続いて、突出した雄ねじ部４１５に、第二ケース５の背面側からストッパー６を締め込み、ワッシャー部５１２を凸部４１１の天板４１３に螺着する。このねじ締結により、第一ケース４と第二ケース５が、カメラフレーム部４１，連結部５１及びストッパー６を介して連結され、第一ケース４，カメラフレーム部４１，連結部５１及び第二ケース５から構成される構造は、どの方向からの外力に対しても変形抵抗を示すものとなり、強固な構造となる。したがって、第一ケース４や第二ケース５の板厚を厚くしなくても、カメラフレーム部４１の変形を効果的に抑制することができ、カメラフレーム部４１が変形することにより発生する、カメラユニット２の破損やカメラユニット２の筐体に対する位置ずれを効果的に防止することができる。
【００４１】
ここで、好ましくは、雄ねじ部４１５の付け根部分に、ワッシャー部５１２の内周面に嵌入されるいんろう部４１６を形成するとよい。このようにすると、カメラフレーム部４１の機器平面方向への変形が、ワッシャー部５１２の内周面によって拘束されるので、確実に機器平面方向への変形を防止することができる。
なお、カメラフレーム部４１は、機器肉厚方向の外力に対して、圧縮方向及び引張り方向のいずれの方向にも、第二ケース５とねじ締結により連結されることにより、強固な剛性を有することができる。
【００４２】
次に、カメラスクリーン２２を第二ケース５の開口部５１１に取り付ける。これにより、カメラユニット２のレンズ２３を保護することができる。
続いて、フロントスクリーン７を第一ケース４の段差面４７に貼り付けると、フロントスクリーン７の裏面が、カメラユニット２の正面側端面と当接し、カメラユニット２の光軸方向への移動を拘束する。これにより、カメラユニット２は、カメラフレーム部４１及びフロントスクリーン７によって、全方向に対する移動か拘束され、第一ケース４に対する位置が固定される。
【００４３】
上述したように、本実施形態の携帯電話機１によれば、カメラフレーム部４１が、第一ケース４と第二ケース５によって両端固定されるので、カメラフレーム部４１の機械的強度が向上し、携帯電話機１にどの方向から外力が作用しても、カメラフレーム部４１が変形しにくくなる。また、連結されたカメラフレーム部４１が、第一ケース４と第二ケース５の機械的強度を向上させる補強部材として機能するので、第一ケース４と第二ケース５の板厚を厚くしなくても機械的強度が向上し、カメラフレーム部４１の変形をさらに抑制することができる。したがって、カメラフレーム部４１が変形することにより発生する、カメラユニット２の破損やカメラユニット２の筐体に対する位置ずれを効果的に防止することができる。すなわち、携帯電話機１は、使用により発生する落下，曲げ，押しなどによる全方向からの外力に対して、カメラユニット２を保護することができ、カメラユニット２は、その機能を維持することができる。
【００４４】
［カメラ付き携帯電子機器の第二実施形態］
図７は、本発明の第二実施形態に係る携帯電話機の、組立完了後の要部の概略拡大断面図を示している。
同図において、携帯電話機１ａは、第一実施形態と比較して、ストッパー６及びカメラスクリーン２２の代わりに、有底円筒状の内周面に、雄ねじ部４１５の雄ねじと螺合する雌ねじ２２１ａを成形したねじ付きカメラスクリーン２２ａを使用した点が相違する。他の構成要素は第一実施形態と同様としてある。
したがって、図７において、図６と同様の構成部分については同一の符号を付して、その詳細な説明を省略する。
【００４５】
上記構成の携帯電話機１ａは、ストッパー６の締込み作業及びカメラスクリーン２２の取付け作業の代わりに、ねじ付きカメラスクリーン２２ａの締込み作業だけを行えばすむので、生産効率を改善できるとともに、部品点数を削減できるので、生産性を向上させることができる。
【００４６】
［カメラ付き携帯電子機器の第三実施形態］
図８は、本発明の第三実施形態に係る携帯電話機の要部における、組立完了後の要部の概略拡大断面図を示している。
同図において、携帯電話機１ｂは、第二実施形態と比較して、円筒状のカメラユニット２ｂを、第一ケース４ｂのカメラフレーム部４１ｂに背面側から挿入し、ねじ付きカメラスクリーン２２ａを用いて、背面側から押さえ付けて保持した点が相違する。他の構成要素は第二実施形態と同様としてある。
したがって、図８において、図７と同様の構成部分については同一の符号を付して、その詳細な説明を省略する。
【００４７】
第一ケース４ｂは、カメラユニット２ｂが収納される有底円筒状のカメラフレーム部４１ｂが背面側に突き出るように形成してある。このカメラフレーム部４１ｂは、中段部にフランジ部４１７が設けられ、さらに、先端部に、雄ねじ部４１５が形成されている。また、第一ケース４ｂは、カメラフレーム部４１ｂの付け根部分に、フレキシブル基板２１を引き回すための開口部４２ｂが形成してある。
【００４８】
次に、上記構成の携帯電話機１ｂにおける、カメラユニット２ｂの組立手順について説明する。
携帯電話機１ｂは、まず、あらかじめ弾性部材２６が正面側端面に貼り付けられたカメラユニット２ｂが、第一ケース４ｂのカメラフレーム部４１ｂに、背面側から収納される。この際、カメラユニット２ｂは、フレキシブル基板２１を開口部４２ｂに通しながら、カメラフレーム部４１ｂに挿入され、続いて、第一ケース４ｂの正面側に突き出たフレキシブル基板２１は、開口部４２ｂに通され、カメラコネクタ３２方向に引き回される。
【００４９】
次に、カメラユニット２ｂを保持収納した第一ケース４ｂの内側（背面側）に主基板３を取り付ける。これにより、カメラフレーム部４１の雄ねじ部４１５及びフランジ部４１７が、主基板３の円形孔３１ｂから突き出る。この際、カメラユニット２のフレキシブル基板２１を円形孔３１ｂに通して、フレキシブル基板２１の先端部を主基板３の背面側へ移動させる。続いて、引き回したフレキシブル基板２１の先端部を、主基板３の背面側に実装されたカメラコネクタ３２に装入し、カメラユニット２と主基板３を電気的に接続する。
【００５０】
次に、第二ケース５を、フックおよびねじ締結により第一ケース４に取り付けると、第二ケース５の連結部５１のワッシャー部５１２から、カメラフレーム部４１ｂの雄ねじ部４１５が突き出る。続いて、突出した雄ねじ部４１５に、第二ケース５の背面側からねじ付きカメラスクリーン２２ａを締め込み、ワッシャー部５１２をカメラフレーム部４１ｂのフランジ部４１７に螺着する。このねじ締結により、第一ケース４ｂと第二ケース５が、カメラフレーム部４１ｂ，連結部５１及びねじ付きカメラスクリーン２２ａを介して連結され、第一ケース４ｂ，カメラフレーム部４１ｂ，連結部５１及び第二ケース５から構成される構造は、どの方向からの外力に対しても変形抵抗を示すものとなり、強固な構造となる。
【００５１】
また、ねじ付きカメラスクリーン２２ａを締め込む際、ねじ付きカメラスクリーン２２ａが、カメラユニット２ｂの背面側端面を正面側に押下するので、カメラユニット２ｂは、弾性部材２６の弾性力によって、カメラスクリーン２２ｂに押し付けられ、位置決め固定される。すなわち、ねじ付きカメラスクリーン２２ａが、ワッシャー部５１２とともに、カメラユニット２ｂを共締めすることにより、カメラユニット２ｂを保持することができる。
【００５２】
このように、本実施形態の携帯電話機１ｂは、カメラフレーム部４１ｂが変形することにより発生する、カメラユニット２ｂの破損やカメラユニット２ｂの筐体に対する位置ずれを効果的に防止することができるとともに、設計の自由度を増大させることができる。
【００５３】
［カメラ付き携帯電子機器の第四実施形態］
図９は、本発明の第四実施形態に係る携帯電話機の要部における、組立完了後の要部の概略拡大断面図を示している。
同図において、携帯電話機１ｃは、第一実施形態と比較して、カメラフレーム部４１の雄ねじ部４１５が形成されていた部分に、一対の係止溝４１８が形成された円筒部４１５ｃを形成し、さらに、ストッパー６の代わりに、係止溝４１８に係入される係止部材６ｃを用いて、カメラフレーム部４１ｃと第二ケース５ｃを連結した点が相違する。他の構成要素は第一実施形態と同様としてある。
したがって、図９において、図３と同様の構成部分については同一の符号を付して、その詳細な説明を省略する。
【００５４】
第一ケース４ｃのカメラフレーム部４１ｃは、凸部４１１の上部に、雄ねじ部４１５の代わりに、一対の係止溝４１８が形成された円筒部４１５ｃを形成してある。上記係止溝４１８には、凸部４１８ｃが形成されており、係止部材６ｃを係止する。
また、第二ケース５ｃは、機器の上方向に開放された開口部５１１ｃを有する連結部５１ｃが形成してある。このようにすると、係止部材６ｃを機器の上方から容易に取り付けることができる。
【００５５】
係止部材６ｃは、断面が矩形の溝型状の部材であり、係止部材６ｃに係入される部分に、凸部４１８ｃと係合するくぼみ６２を形成してある。このようにすると、取り付けた係止部材６ｃが外れるのを容易に防止することができる。
また、カメラスクリーン２２ｃは、上記連結部５１ｃの開口部５１１ｃを覆い隠すように、上部が折り曲げられた形状としてある。
【００５６】
次に、上記構成の携帯電話機１ｃにおける組立手順について説明する。
携帯電話機１ｃは、まず、カメラユニット２がカメラフレーム部４１ｃに収納され、主基板３が取り付けられた後、第二ケース５ｃを、フックおよびねじ締結により第一ケース４ｃに取り付けると、第二ケース５ｃの連結部５１ｃのワッシャー部５１２から、カメラフレーム部４１ｃの円筒部４１５ｃが突き出る。続いて、突出した円筒部４１５ｃの係止溝４１８に、第二ケース５ｃの上方向から係止部材６ｃが係入され、ワッシャー部５１２が天板４１３と当接した状態で連結される。この係止により、第一ケース４ｃと第二ケース５ｃが、カメラフレーム部４１ｃ，連結部５１ｃ及び係止部材６ｃを介して連結され、第一ケース４ｃ，カメラフレーム部４１ｃ，連結部５１ｃ及び第二ケース５ｃから構成される構造は、どの方向からの外力に対しても変形抵抗を示すものとなり、強固な構造となる。
続いて、カメラスクリーン２２ｃが第二ケース５ｃに取り付けられる。
なお、その他の組立手順は、第一実施形態と同様としてある。
【００５７】
このように、本実施形態の携帯電話機１ｃは、係止部材６ｃを用いて第一ケース４ｃと第二ケース５ｃを固定することができるので、連結強度を強固にすることができ、カメラフレーム部４１ｃが変形することにより発生する、カメラユニット２の破損やカメラユニット２の筐体に対する位置ずれを効果的に防止することができる。さらに、係止溝４１８や係止部材６ｃが、比較的単純な構造とすることができ、また、係止部材６ｃを容易に取り付けることができるので、製造原価のコストダウンを図ることができる。
なお、本実施形態は、第一実施形態のストッパー６の代わりに係止部材６ｃを用いて、ねじ固定を係止固定に置き換えた構成としてあるので、上記第二実施形態や第三実施形態についても、同様に、係止部材６ｃを用いて実現することができる。
【００５８】
［カメラユニット取付け構造］
本発明は、カメラユニット取付け構造の発明としても有効であり、上述した携帯電話機１のように、第一ケース４と第二ケース５からなる筐体に、カメラユニット２を保持するカメラユニット取付け構造であって、第一ケース４と一体的に成形され、カメラユニット２が収納されるカメラフレーム部４１と、カメラフレーム部４１と第二ケース５を連結するストッパー６とを具備した構成としてある（図１〜６参照）。
【００５９】
このように、本発明にかかるカメラユニット取付け構造によれば、第一ケース４と第二ケース５の板厚を厚くしなくても機械的強度が向上し、カメラフレーム部４１の変形を抑制することができ、カメラフレーム部４１が変形することにより発生する、カメラユニット２の破損やカメラユニット２の筐体に対する位置ずれを効果的に防止することができる。すなわち、本発明にかかるカメラユニット取付け構造は、使用により発生する落下，曲げ，押しなどによる全方向からの外力に対して、カメラユニット２を保護することができる。
なお、本明細書では、カメラ付き携帯電子機器の実施形態について詳細に説明してきたが、カメラユニット取付け構造についても、上記実施形態が適用されることは勿論である。
【００６０】
以上、本発明のカメラユニット取付け構造及びカメラ付き携帯電子機器について、好ましい実施形態を示して説明したが、本発明に係るカメラユニット取付け構造及びカメラ付き携帯電子機器は、上述した実施形態にのみ限定されるものではなく、本発明の範囲で種々の変更実施が可能であることは言うまでもない。
例えば、上記携帯電話機１は、第一ケース４にカメラフレーム部４１を形成し、カメラユニット２が携帯電話機１の背面側の被写体を撮像する構成としてあるが、これに限定されるものではなく、たとえば、第二ケース５にカメラフレーム部４１を形成し、携帯電話機１の正面側の被写体を撮像する構成としてもよい。
【産業上の利用可能性】
【００６１】
以上説明したように、本発明のカメラユニット取付け構造及びカメラ付き携帯電子機器は、変形や衝撃に弱いカメラユニットを取り付ける構成としてあるが、被保持体はカメラユニットに限定されるものではなく、たとえば、変形や衝撃に弱い部材に対して広く適用することができる。
【図面の簡単な説明】
【００６２】
【図１】本発明の第一実施形態に係る携帯電話機の要部における、正面側から見た概略分解斜視図を示している。
【図２】本発明の第一実施形態に係る携帯電話機の要部における、背面側から見た概略分解斜視図を示している。
【図３】本発明の第一実施形態に係る携帯電話機のカメラフレーム部を説明するための、背面側から見た概略拡大斜視図を示している。
【図４】本発明の第一実施形態に係る携帯電話機のカメラフレーム部を説明するための、正面側から見た概略拡大斜視図を示している。
【図５】本発明の第一実施形態に係る携帯電話機の主基板及び第二ケースを説明するための、背面側から見た概略拡大斜視図を示している。
【図６】本発明の第一実施形態に係る携帯電話機の、カメラユニットの組立手順を説明するための、組立完了後の要部の概略拡大断面図を示している。
【図７】本発明の第二実施形態に係る携帯電話機の、組立完了後の要部の概略拡大断面図を示している。
【図８】本発明の第三実施形態に係る携帯電話機の要部における、組立完了後の要部の概略拡大断面図を示している。
【図９】本発明の第四実施形態に係る携帯電話機の要部における、組立完了後の要部の概略拡大断面図を示している。
【図１０】第一従来例に係るカメラユニット取付け構造の要部における概略拡大断面図を示している。
【符号の説明】
【００６３】
１，１ａ，１ｂ，１ｃ  携帯電話機
２，２ｂ  カメラユニット
３  主基板
４，４ｂ，４ｃ  第一ケース（カメラユニット保持側ケース）
５，５ｃ  第二ケース（カメラユニット非保持側ケース）
６  ストッパー
６ｃ  係止部材
７  フロントスクリーン
２１  フレキシブル基板
２２，２２ｃ  カメラスクリーン
２２ａ  ねじ付きカメラスクリーン
２３  レンズ
２４  撮像素子部
２５  レンズ部
２６  弾性部材
３１  矩形孔
３１ｂ  円形孔
３２  カメラコネクタ
４１，４１ｂ，４１ｃ  カメラフレーム部
４２，４２ｂ  開口部
４６  凸部
４７  段差面
５１，５１ｃ  連結部
６１  雌ねじ
６２  くぼみ
１００  カメラユニット取付け構造
１０２  カメラユニット
１０４  第一ケース
１０５  第二ケース
１４１  カメラフレーム部
１４２  切欠
２２１ａ  雌ねじ
４１１  凸部
４１２  凹部
４１３  天板
４１４  円孔
４１５  雄ねじ部
４１５ｃ  円筒部
４１６  いんろう部
４１７  フランジ部
４１８  係止溝
４１８ｃ  凸部
５１１，５１１ｃ  開口部
５１２  ワッシャー部
５１３  円筒部
【図１】
2006270830.tif 000003
【図２】
2006270830.tif 000004
【図３】
2006270830.tif 000005
【図４】
2006270830.tif 000006
【図５】
2006270830.tif 000007
【図６】
2006270830.tif 000008
【図７】
2006270830.tif 000009
【図８】
2006270830.tif 000010
【図９】
2006270830.tif 000011
【図１０】
2006270830.tif 000012